(57)【特許請求の範囲】
【請求項１】
枢戸式に開閉する窓枠の内側に装設する建物開口部用網戸であって、
当該網戸は、四辺を構成する枠部材により略矩形状に形成した枠体と、該枠体に張設するネットとを備え、
当該網戸を、上記枠体の対向辺を構成する枠部材の一対に蝶番を設けることにより、上記窓枠を開閉操作する際に該蝶番によって折曲されるように構成し、当該網戸の折曲により開放される部位を、上記窓枠における開閉操作用の操作部材の位置に対応させ、該部位及び上記窓枠を閉じた状態で該部位が該操作部材に干渉することがないように設けた、
ことを特徴とする建物開口部用網戸。
【請求項２】
請求項１に記載の建物開口部用網戸の枠部材に設ける蝶番を、該枠部材の対向切断端に嵌着する一対の嵌着部と、それらの嵌着部を連結する薄肉の折曲部とを可撓性ある合成樹脂により一体に成形した、
ことを特徴とする建物開口部用網戸。
【請求項３】
蝶番における折曲部をネットに近接した位置に設けた、
ことを特徴とする請求項２に記載の建物開口部用網戸。
【請求項４】
蝶番における折曲部の両側にその折曲限度を設定するための当接面を設けた、
ことを特徴とする請求項２または３に記載の建物開口部用網戸。
【請求項５】
網戸を構成するネットを伸縮自在とした、
ことを特徴とする請求項１乃至４のいずれかに記載の建物開口部用網戸。
【請求項６】
建物開口部枠または窓枠に網戸の枠体を固定するための固定枠を設け、該固定枠と上記枠体とを面ファスナーにより固定した、
ことを特徴とする請求項１乃至５のいずれかに記載の建物開口部用網戸。
【発明の詳細な説明】
【０００１】
【発明の属する技術分野】
本発明は、枢戸式に開閉する窓枠の内側に装設する建物開口部用網戸に関するものである。
【０００２】
【従来の技術】
近年、一戸建住宅やマンションでは、出窓あるいは洗面所等の小窓に枢戸式に開閉する窓枠を設備しているのが多く見受けられる。そして、このような出窓を開けて室内の空気の入れ換えをすることは、特に洗面所等においては、室内の湿気を逃がすためにも大切なことである。
【０００３】
しかるに、上記窓枠には、防虫等のための網戸を装設するのが一般的であるが、窓枠の開操作または閉操作をするに際し、該窓枠の開閉操作のための把手に手をかけるためには、網戸全体を取り外すか、あるいは網戸全体が枢戸式に開閉する場合には該網戸を大きく開放する必要があるため、該網戸の開閉操作時に既設のブラインドやカーテンと干渉してしまう場合があり、必ずしも使い勝手が良いとは言えないばかりでなく、該網戸を開放するだけで防虫効果が著しく低下してしまうという問題点があった。
また、網戸自体を建物開口部に蝶番で固定することにより枢戸式に開閉できるようにした網戸では、取り付け及び取り外しのための作業に熟練を要し、ユーザーが手軽に行えないという問題点も指摘されていた。
【０００４】
【発明が解決しようとする課題】
本発明の技術的課題は、最小限の網戸の開放で、既設のブラインドやカーテンと干渉することなく、開閉する窓枠の開閉操作をスムーズに行うことができると同時に、網戸の開放による防虫性の低下を抑止することができ、しかも取り付け及び取り外しのための作業をユーザーが容易に行うことができる建物開口部用網戸を提供することにある。
【０００５】
【課題を解決するための手段】
上記課題を解決するための本発明の建物開口部用網戸は、枢戸式に開閉する窓枠の内側に装設するためのものであって、当該網戸は、四辺を構成する枠部材により略矩形状に形成した枠体と、該枠体に張設するネットとを備え、当該網戸を、上記枠体の対向辺を構成する枠部材の一対に蝶番を設けることにより、上記窓枠を開閉操作する際に該蝶番によって折曲されるように構成し、当該網戸の折曲により開放される部位を、上記窓枠における開閉操作用の操作部材の位置に対応させ、該部位及び上記窓枠を閉じた状態で該部位が該操作部材に干渉することがないように設けたことを特徴とするものである。
【０００６】
上記建物開口部用網戸においては、当該網戸の枠部材に設ける蝶番を、該枠部材の対向切断端に嵌着する一対の嵌着部と、それらの嵌着部を連結する薄肉の折曲部とを可撓性ある合成樹脂により一体に成形したものとすることができ、また、その場合、上記蝶番における折曲部をネットに近接した位置に設けることができ、更に、該折曲部の両側にその折曲限度を設定するための当接面を設けることができる。
【０００７】
更に、上記建物開口部用網戸においては、それを構成するネットを伸縮自在とするのが好適であり、また、建物開口部枠または窓枠に当該網戸の枠体を固定するための固定枠を設け、該固定枠と上記枠体とを面ファスナーにより固定することができる。
【０００８】
上記構成を有する建物開口部用網戸は、枠体の対向辺を構成する枠部材の一対に蝶番を設けることにより、上記窓枠を開閉操作する際に該蝶番によって当該網戸の一部が折曲されるように構成し、当該網戸の折曲により開放される部位を、上記窓枠における開閉操作用の操作部材の位置に対応させ、該部位及び上記窓枠を閉じた状態で該部位が該操作部材に干渉することがないように設けたので、窓枠を開放するに際して網戸全体を大きく開放することによって既設のブラインドやカーテン等に干渉するようなことがなく、当該網戸における蝶番によって折曲される部位のみを開放するだけで済むので、上記窓枠の開閉操作をスムーズに行うことができると同時に、当該網戸の開放によって防虫性が著しく損なわれることがない。
また、上記蝶番を、枠部材の対向切断端に嵌着する一対の嵌着部と、それらの嵌着部を連結する薄肉の折曲部とを可撓性ある合成樹脂により一体に成形することにより、上記枠部材の対向切断端に蝶番の一対の嵌着部をそれぞれ差し込んで嵌着するだけで、上記枠体をユーザー自身が容易に組み立てることができ、しかも上述のような差し込みによる組み立て式としたことで、上記枠部材の切断位置をユーザーの所望の位置に設定することにより、当該網戸の折曲位置を任意に設定することができる。
さらに、上記蝶番における折曲部をネットに近接した位置に設けることにより、上記ネットの折曲時における該ネットの延伸を小さくすることができ、延いてはネットにかかる負担を軽減することができる。
【０００９】
一方、伸縮自在のネットは、それを張設した枠体における一対の枠部材の蝶番を折曲する場合に該ネットが破損するのを防止するために有効なものであり、これによって網戸の部分的な開閉のために枠体を二つの矩形状のものに分割してそれらを蝶番で連結する必要がなくなり、全体的構造が著しく簡単化される。
さらに、建物開口部枠または窓枠に当該網戸の枠体を固定するための固定枠を設け、該固定枠と上記枠体とを面ファスナーにより固定するものとした場合には、当該網戸における枠体を建物開口部に蝶番などで固定する必要がなく、当該網戸の取り付け及び取り外しのための作業をユーザー自身が容易に行うことができる。
【００１０】
【発明の実施の形態】
図１乃至図５は、本発明に係る建物開口部用網戸の第１実施例を示している。
この網戸は、図１及び図２に示すように、出窓あるいは洗面所等の小窓に設備した枢戸式に開閉する窓枠の内側に装設するためのもので、概略的には、略矩形状に形成した枠体２と、該枠体２に張設する防虫等のためのネット４と、建物開口部枠の上下部に取り付けて上記枠体２を建物開口部枠に固定するための上下の固定枠６Ａ，６Ｂとを備えている。この固定枠は、建物開口部の左右にも設けることができる。
【００１１】
上記枠体２は、図１乃至図３に示すように、上下の二辺を構成する横枠部材１１，１２と左右の二辺を構成する縦枠部材１３，１４により略矩形状に形成されており、その内周縁に設けた溝部１１ａ〜１４ａに上記ネット４とともにネット固定用の固定部材１６を圧入することにより、上記ネット４を枠体２に張設固定している。そして、当該枠体２の上下の対向辺を構成する横枠部材１１，１２の対応位置で分割してそこに蝶番８，８を設けることにより、当該網戸を該蝶番８，８において折曲できるようにしている。該蝶番８は、その両側の固定板８ａ，８ａを上記中空の該横枠部材１１，１２内に挿入し、それらの固定板８ａ，８ａを横枠部材１１，１２の表面側からビス１８で固定することにより上記横枠部材１１，１２に配設されている。上記縦枠部材１３には、蝶番８，８により折曲される部位を開閉するための取手２０を取り付けている。上記蝶番８の構造は図示したものに限定されず、例えば薄い折曲部や軟質折曲部を有する樹脂製の連結部材等であってもよい。
また、上記枠体２における上下の横枠部材１１，１２の裏面には、当該枠体２を後述する固定枠６Ａ，６Ｂの面ファスナー２２ｂに固定するための面ファスナー２２ａが適宜間隔をおいて配置されている。
【００１２】
上記ネット４は伸縮自在な繊維を用いた網目状のスクリーンからなり、図１及び図２からわかるように、上記枠体２の内周縁に設けた溝部１１ａ〜１４ａに固定部材１６とともに圧入することにより、該枠体２における蝶番８を設けた面の裏面に張設されている。
当該ネット４は、図４及び図５からわかるように、当該網戸を上記蝶番８において折曲するに際し、ネット４が網戸の折曲方向に少なくとも図４に示すｔの範囲に相当する長さだけ伸張する必要があるが、当該ネット４を伸縮自在のスクリーンで構成することにより、当該網戸の上記蝶番８における折曲が許容される。而して、この伸縮自在のネット４は、上記枠体２における横枠部材１１，１２蝶番８を折曲する場合に該ネット４が破損するのを防止するために有効なものであり、これによって網戸の部分的な開閉のために枠体２を二つの矩形状のものに分割してそれらを蝶番で連結する必要がなくなり、全体的構造が著しく簡単化される。
【００１３】
上記固定枠６Ａ，６Ｂは、図１及び図２にからわかるように、建物開口部枠の上下部に取り付けて、当該網戸の枠体２を建物開口部枠に固定するためのもので、略Ｌ字形に形成されており、建物開口部枠の上下部から立ち上がった面には、上記枠体２の面ファスナー２２ａに対応する位置に面ファスナー２２ｂが配置されている。
【００１４】
なお、上述した第１実施例においては、上記ネット４を枠体２における蝶番８を設けた面の裏面に張設した場合について記載したが、それに限定されず、蝶番８を設けた面と同じ面にネット４を張設することもできる。この場合、該ネット４は必ずしも伸縮自在のスクリーンで構成する必要がないのは言うまでもない。
【００１５】
上記網戸を建物開口部に装設する場合には、図１及び図２に示すように、その折曲により開放される部位を上記窓枠における開閉操作用の操作部材（把手）Ｇの位置に対応させ、枠体２の面ファスナー２２ａと固定枠６Ａ，６Ｂの面ファスナー２２ｂとを相互に固定することにより、当該網戸を建物開口部に装設する。
【００１６】
上記構成を有する建物開口部用網戸は、枠体２の上下の対向辺を構成する横枠部材１１，１２に蝶番８，８を設けることにより、該蝶番８，８において折曲可能に構成するとともに、当該網戸の折曲により開放される部位を、上記窓枠における開閉操作用の把手Ｇの位置に対応させているので、窓枠を開放するに際して網戸全体を大きく開放することによって既設のブラインドやカーテン等に干渉するようなことがなく、取手２０による開閉操作で当該網戸における蝶番８によって折曲される部位のみを開放するだけで済むので、上記窓枠の開閉操作をスムーズに行うことができると同時に、当該網戸の開放によって防虫性が著しく損なわれることがない。
また、建物開口部枠の上下部に当該網戸の枠体２を固定するための固定枠６Ａ，６Ｂを設け、該固定枠６Ａ，６Ｂの面ファスナー２２ｂと上記枠体２の面ファスナー２２ａにより固定しているので、当該網戸における枠体２を建物開口部に蝶番などで固定する必要がなく、当該網戸の取り付け及び取り外しのための作業をユーザー自身が容易に行うことができる。
【００１７】
次に、図６乃至図１０は、本発明の建物開口部用網戸の第２実施例を示している。この第２実施例の網戸は、基本的な構成は前記第１実施例と同様であるが、図６乃至図１０に明確に示すように、上下の二辺を構成する横枠部材４１，４２と左右の二辺を構成する縦枠部材４３，４４により略矩形状に形成した枠体３２における上記横枠部材４１，４２に設ける蝶番３８を、該横枠部材４１，４２の対向切断端に嵌着する一対の嵌着部３８ａ，３８ａと、それらの嵌着部３８ａ，３８ａを連結する薄肉の折曲部３８ｂとを可撓性ある合成樹脂により一体に成形したものとしている。
【００１８】
上述のように、上記蝶番３８を、横枠部材４１，４２の対向切断端に嵌着する一対の嵌着部３８ａ，３８ａと、それらの嵌着部３８ａ，３８ａを連結する薄肉の折曲部３８ｂとを可撓性ある合成樹脂により一体に成形することにより、上記横枠部材４１，４２の対向切断端に蝶番３８の一対の嵌着部３８ａ，３８ａをそれぞれ差し込んで嵌着するだけで、上記枠体３２をユーザー自身が容易に組み立てることができ、しかも上述のような差し込みによる組み立て式としたことで、上記横枠部材４１，４２の切断位置をユーザーの所望の位置に設定することにより、当該網戸の折曲位置を任意に設定することができる。
なお、この第２実施例のその他の構成及び作用は、実質的に前記第１実施例と同様であるから、同一部分または相当部分に同一符号または同一補助符号を付して、それらの説明を省略する。
【００１９】
図１１乃至図１５は、本発明の建物開口部網戸の第３実施例を示している。この網戸についても、基本的な構成は前記第１実施例及び第２実施例と同様であるが、図１１乃至図１５に明確に示すように、蝶番６８を、前記第２実施例と同様に、横枠部材４１，４２の対向切断端に嵌着する一対の嵌着部６８ａ，６８ａと、それらの嵌着部６８ａ，６８ａを連結する薄肉の折曲部６８ｂとを可撓性ある合成樹脂により一体に成形したものとし、さらに、該蝶番６８における折曲部６８ｂの両側の上記嵌着部６８ａ，６８ａの基部に、それぞれの先端側から基端内側に向けて傾斜した当接面６８ｃ，６８ｃを設け、該折曲部６８ｂをそれらの傾斜した当接面６８ｃ，６８ｃの相互に交差する部分に形成することにより、該折曲部６８ｂをネット４に近接した位置に設けたものとしている。
このように構成すると、上記ネット４の折曲時における該ネット４の延伸を小さくすることができ、延いてはネット４にかかる負担を軽減することができる。また、図１４に示すように、上記ネット４の折曲時において、嵌着部６８ａ，６８ａの基部の傾斜した当接面６８ｃ，６８ｃ同士が衝当することによってネット４の折曲角度が規制されるので、上記ネット４の過度の折曲による破損等を抑止することができる。
なお、この第３実施例のその他の構成及び作用は、実質的に前記第１実施例及び第２実施例と同様であるから、同一部分または相当部分に同一符号または同一補助符号を付して、それらの説明を省略する。
【００２０】
ここで、上述した各実施例においては、窓枠の開閉のための把手Ｇが該窓枠の側部にあるものとして、当該網戸を上下の横枠部材に設けた蝶番で水平方向に開閉するものとして構成したが、それに限定されず、窓枠の開閉用の把手Ｇが該窓枠の上部または下部にある場合に対応して、左右の縦枠部材に蝶番を設けることにより、鉛直方向に開閉するように構成することもできる。
また、上記枠体２を建物開口部枠に取り付けた固定枠６Ａ，６Ｂに固定するための手段は、上述した面ファスナー２２ａ，２２ｂに限定されず、他の適宜の固定手段で固定することができるものである。
【００２１】
【発明の効果】
以上に詳述した本発明の建物開口部用網戸によれば、最小限の網戸の開放で、既設のブラインドやカーテンと干渉することなく、枢戸式に開閉する窓枠の開閉操作をスムーズに行うことができると同時に、網戸の開放による防虫性の低下を抑止することができ、しかも取り付け及び取り外しのための作業をユーザーが容易に行うことができる。
【図面の簡単な説明】
【図１】本発明の第１実施例に係る建物開口部用網戸を窓枠に装設した状態を示す平断面図である。
【図２】同側断面図である。
【図３】本発明の第１実施例に係る建物開口部用網戸の正面図である。
【図４】同網戸を蝶番において折曲した状態を示す平断面図である。
【図５】同斜視図である。
【図６】本発明の第２実施例に係る建物開口部用網戸の平断面図である。
【図７】同側断面図である。
【図８】同正面図である。
【図９】同網戸を蝶番において折曲した状態を示す平断面図である。
【図１０】同蝶番の拡大斜視図である。
【図１１】本発明の第３実施例に係る建物開口部用網戸の平断面図である。
【図１２】同側断面図である。
【図１３】同正面図である。
【図１４】同網戸を蝶番において折曲した状態を示す平断面図である。
【図１５】同蝶番の拡大斜視図である。
【符号の説明】
２，３２    枠体
４    ネット
６Ａ，６Ｂ  固定枠
８，３８，６８    蝶番
１１，１２，４１，４２    横枠部材
１３，１４，４３，４４    縦枠部材
２２ａ，２２ｂ  面ファスナー
３８ａ，６８ａ  嵌着部
３８ｂ，６８ｂ  折曲部
６８ｃ  当接面
Ｇ    把手
【図１】
0003730915.tif 000002
【図２】
0003730915.tif 000003
【図３】
0003730915.tif 000004
【図４】
0003730915.tif 000005
【図５】
0003730915.tif 000006
【図６】
0003730915.tif 000007
【図７】
0003730915.tif 000008
【図８】
0003730915.tif 000009
【図９】
0003730915.tif 000010
【図１０】
0003730915.tif 000011
【図１１】
0003730915.tif 000012
【図１２】
0003730915.tif 000013
【図１３】
0003730915.tif 000014
【図１４】
0003730915.tif 000015
【図１５】
0003730915.tif 000016